【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
特徴量の取り得る範囲に含まれる複数の部分範囲のうちの１つに特徴量が含まれる２つ以上の画像が前記表示装置に同時に表示されるように、表示装置を制御する表示制御手段と、
前記２つ以上の画像それぞれの表示輝度および表示色の少なくとも一方の測定結果に基づいて、前記表示装置の表示特性を調整するためのキャリブレーションを実行する校正手段と、
を備え、
前記表示制御手段は、前記２つ以上の画像が前記表示装置に同時に表示されるように前記表示装置を制御する処理を、前記複数の部分範囲それぞれについて行い、
前記校正手段は、前記複数の部分範囲それぞれの前記測定結果に基づいて、前記表示装置のキャリブレーションを実行する
ことを特徴とする校正装置。
【請求項２】
前記表示制御手段は、前記２つ以上の画像および所定の階調値を有する画像が前記表示装置に同時に表示されるように、前記表示装置を制御し、
前記複数の部分範囲の間における、前記所定の階調値を有する画像の表示輝度および表示色の少なくとも一方の測定結果のばらつきが、閾値以上である場合に、
前記表示制御手段は、各々が前記部分範囲よりも狭い複数の小部分範囲の１つに特徴量が含まれる２つ以上の画像が前記表示装置に同時に表示されるように前記表示装置を制御する処理を、前記複数の小部分範囲それぞれについて行い、
前記校正手段は、前記複数の小部分範囲それぞれの前記測定結果に基づいて、前記表示装置のキャリブレーションを実行する
ことを特徴とする請求項１に記載の校正装置。
【請求項３】
前記表示制御手段が前記複数の部分範囲を用いて前記表示装置を制御する場合に、前記表示制御手段は、前記複数の部分範囲の間で前記所定の階調値を有する画像の表示位置が互いに等しくなるように、前記表示装置を制御する
ことを特徴とする請求項２に記載の校正装置。
【請求項４】
前記ばらつきが前記閾値以上である場合に前記表示制御手段が前記表示装置を制御する
ことによって同時に表示される画像の数は、そうでない場合に前記表示制御手段が前記表示装置を制御することによって同時に表示される画像の数よりも多い
ことを特徴とする請求項２または請求項３に記載の校正装置。
【請求項５】
前記特徴量は、表示輝度、表示色、または、表示輝度と表示色の組み合わせである
ことを特徴とする請求項１乃至請求項４のいずれか１項に記載の校正装置。
【請求項６】
前記表示制御手段は、第１の階調値を有する画像が前記表示装置に表示されるように前記表示装置を制御する第１処理、及び、前記第１の階調値を有する画像と前記第１の階調値を有する画像よりも明るい第２の階調値を有する画像とが前記表示装置に同時に表示されるように前記表示装置を制御する第２処理、を個別に行い、
前記第１処理によって表示された前記第１の階調値を有する画像の表示輝度および表示色の少なくとも一方の測定結果と、前記第２処理によって表示された前記第１の階調値を有する画像の前記測定結果との差が、閾値以下である場合に、前記表示制御手段は、前記校正手段による前記キャリブレーションに用いられる全ての画像が前記表示装置に同時に表示されるように、前記表示装置を制御する
ことを特徴とする請求項１乃至請求項５のいずれか１項に記載の校正装置。
【請求項７】
前記第１の階調値は黒色に対応する階調値であり、前記第２の階調値は白色に対応する階調値である
ことを特徴とする請求項６に記載の校正装置。
【請求項８】
輝度および色の少なくとも一方が所定の範囲に含まれ、かつ、前記輝度および前記色の少なくとも一方が互いに異なる２つ以上の画像が表示装置に同時に表示されるように、前記表示装置を制御する表示制御手段と、
前記２つ以上の画像それぞれの表示輝度および表示色の少なくとも一方の測定結果に基づいて、前記表示装置の表示特性を調整するためのキャリブレーションを実行する校正手段と、
を備え、
前記表示制御手段は、前記２つ以上の画像のうちの第１画像が、前記２つ以上の画像のうちの、前記第１画像よりも輝度が低い第２画像に比べて小さく表示されるように、前記表示装置を制御する
ことを特徴とする校正装置。
【請求項９】
前記表示制御手段は、前記第１画像の輝度に前記第１画像の面積を乗算した値が、前記前記第２画像の輝度に前記第２画像の面積を乗算した値に等しくなるように、前記表示装置を制御する
ことを特徴とする請求項８に記載の校正装置。
【請求項１０】
特徴量の取り得る範囲に含まれる複数の部分範囲のうちの１つに特徴量が含まれる２つ以上の画像が前記表示装置に同時に表示されるように、表示装置を制御する表示制御ステップと、
前記２つ以上の画像それぞれの表示輝度および表示色の少なくとも一方の測定結果に基づいて、前記表示装置の表示特性を調整するためのキャリブレーションを実行する校正ステップと、
を有し、
前記表示制御ステップでは、前記２つ以上の画像が前記表示装置に同時に表示されるように前記表示装置を制御する処理が、前記複数の部分範囲それぞれについて行われ、
前記校正ステップでは、前記複数の部分範囲それぞれの前記測定結果に基づいて、前記表示装置のキャリブレーションが実行される
ことを特徴とする校正方法。
【請求項１１】
前記表示制御ステップでは、前記２つ以上の画像および所定の階調値を有する画像が前記表示装置に同時に表示されるように、前記表示装置が制御され、
前記複数の部分範囲の間における、前記所定の階調値を有する画像の表示輝度および表示色の少なくとも一方の測定結果のばらつきが、閾値以上である場合に、
前記表示制御ステップでは、各々が前記部分範囲よりも狭い複数の小部分範囲の１つに特徴量が含まれる２つ以上の画像が前記表示装置に同時に表示されるように前記表示装置を制御する処理が、前記複数の小部分範囲それぞれについて行われ、
前記校正ステップでは、前記複数の小部分範囲それぞれの前記測定結果に基づいて、前記表示装置のキャリブレーションが実行される
ことを特徴とする請求項１０に記載の校正方法。
【請求項１２】
前記表示制御ステップにおいて前記複数の部分範囲を用いて前記表示装置が制御される場合に、前記表示制御ステップでは、前記複数の部分範囲の間で前記所定の階調値を有する画像の表示位置が互いに等しくなるように、前記表示装置が制御される
ことを特徴とする請求項１１に記載の校正方法。
【請求項１３】
前記ばらつきが前記閾値以上である場合に前記表示制御ステップにおいて前記表示装置が制御されることによって同時に表示される画像の数は、そうでない場合に前記表示制御ステップにおいて前記表示装置が制御されることによって同時に表示される画像の数よりも多い
ことを特徴とする請求項１１または請求項１２に記載の校正方法。
【請求項１４】
前記特徴量は、表示輝度、表示色、または、表示輝度と表示色の組み合わせである
ことを特徴とする請求項１０乃至請求項１３のいずれか１項に記載の校正方法。
【請求項１５】
前記表示制御ステップでは、第１の階調値を有する画像が前記表示装置に表示されるように前記表示装置を制御する第１処理、及び、前記第１の階調値を有する画像と前記第１の階調値を有する画像よりも明るい第２の階調値を有する画像とが前記表示装置に同時に表示されるように前記表示装置を制御する第２処理、が個別に行われ、
前記第１処理によって表示された前記第１の階調値を有する画像の表示輝度および表示色の少なくとも一方の測定結果と、前記第２処理によって表示された前記第１の階調値を有する画像の前記測定結果との差が、閾値以下である場合に、前記表示制御ステップでは、前記校正ステップによる前記キャリブレーションに用いられる全ての画像が前記表示装置に同時に表示されるように、前記表示装置が制御される
ことを特徴とする請求項１０乃至請求項１４のいずれか１項に記載の校正方法。
【請求項１６】
前記第１の階調値は黒色に対応する階調値であり、前記第２の階調値は白色に対応する階調値である
ことを特徴とする請求項１５に記載の校正方法。
【請求項１７】
輝度および色の少なくとも一方が所定の範囲に含まれ、且つ、輝度および色の少なくとも一方が互いに異なる２つ以上の画像が表示装置に同時に表示されるように、前記表示装置を制御する表示制御ステップと、
前記２つ以上の画像それぞれの表示輝度および表示色の少なくとも一方の測定結果に基づいて、前記表示装置の表示特性を調整するためのキャリブレーションを実行する校正ステップと、
を有し、
前記表示制御ステップでは、前記２つ以上の画像のうちの第１画像が、前記２つ以上の
画像のうちの、前記第１画像よりも輝度が低い第２画像に比べて小さく表示されるように、前記表示装置が制御される
ことを特徴とする校正方法。
【請求項１８】
前記表示制御ステップでは、前記第１画像の輝度に前記第１画像の面積を乗算した値が、前記前記第２画像の輝度に前記第２画像の面積を乗算した値と等しくなるように、前記表示装置が制御される
ことを特徴とする請求項１７に記載の校正方法。
【請求項１９】
請求項１０乃至請求項１８のいずれか１項に記載の校正方法の各ステップをコンピュータに実行させるためのプログラム。
【手続補正２】
【補正対象書類名】明細書
【補正対象項目名】０００８
【補正方法】変更
【補正の内容】
【０００８】
本発明の第１の態様は、
特徴量の取り得る範囲に含まれる複数の部分範囲のうちの１つに特徴量が含まれる２つ以上の画像が前記表示装置に同時に表示されるように、表示装置を制御する表示制御手段と、
前記２つ以上の画像それぞれの表示輝度および表示色の少なくとも一方の測定結果に基づいて、前記表示装置の表示特性を調整するためのキャリブレーションを実行する校正手段と、
を備え、
前記表示制御手段は、前記２つ以上の画像が前記表示装置に同時に表示されるように前記表示装置を制御する処理を、前記複数の部分範囲それぞれについて行い、
前記校正手段は、前記複数の部分範囲それぞれの前記測定結果に基づいて、前記表示装置のキャリブレーションを実行する
ことを特徴とする校正装置である。
本発明の第２の態様は、
輝度および色の少なくとも一方が所定の範囲に含まれ、且つ、輝度および色の少なくとも一方が互いに異なる２つ以上の画像が表示装置に同時に表示されるように、前記表示装置を制御する表示制御手段と、
前記２つ以上の画像それぞれの表示輝度および表示色の少なくとも一方の測定結果に基づいて、前記表示装置の表示特性を調整するためのキャリブレーションを実行する校正手段と、
を備え、
前記表示制御手段は、前記２つ以上の画像のうちの第１画像が、前記２つ以上の画像のうちの、前記第１画像よりも輝度が低い第２画像に比べて小さく表示されるように、前記表示装置を制御する
ことを特徴とする校正装置である。
【手続補正３】
【補正対象書類名】明細書
【補正対象項目名】０００９
【補正方法】変更
【補正の内容】
【０００９】
本発明の第３の態様は、
特徴量の取り得る範囲に含まれる複数の部分範囲のうちの１つに特徴量が含まれる２つ
以上の画像が前記表示装置に同時に表示されるように、表示装置を制御する表示制御ステップと、
前記２つ以上の画像それぞれの表示輝度および表示色の少なくとも一方の測定結果に基づいて、前記表示装置の表示特性を調整するためのキャリブレーションを実行する校正ステップと、
を有し、
前記表示制御ステップでは、前記２つ以上の画像が前記表示装置に同時に表示されるように前記表示装置を制御する処理が、前記複数の部分範囲それぞれについて行われ、
前記校正ステップでは、前記複数の部分範囲それぞれの前記測定結果に基づいて、前記表示装置のキャリブレーションが実行される
ことを特徴とする校正方法である。
本発明の第４の態様は、
輝度および色の少なくとも一方が所定の範囲に含まれ、且つ、輝度および色の少なくとも一方が互いに異なる２つ以上の画像が表示装置に同時に表示されるように、前記表示装置を制御する表示制御ステップと、
前記２つ以上の画像それぞれの表示輝度および表示色の少なくとも一方の測定結果に基づいて、前記表示装置の表示特性を調整するためのキャリブレーションを実行する校正ステップと、
を有し、
前記表示制御ステップでは、前記２つ以上の画像のうちの第１画像が、前記２つ以上の画像のうちの、前記第１画像よりも輝度が低い第２画像に比べて小さく表示されるように、前記表示装置が制御される
ことを特徴とする校正方法である。
【手続補正４】
【補正対象書類名】明細書
【補正対象項目名】００１０
【補正方法】変更
【補正の内容】
【００１０】
本発明の第３の態様は、上記校正方法の各ステップをコンピュータに実行させるためのプログラムである。
【手続補正５】
【補正対象書類名】明細書
【補正対象項目名】００１９
【補正方法】変更
【補正の内容】
【００１９】
パッチ表示部２０５は、特徴量が属すと判断された部分範囲が互いに等しい複数（２つ以上）のキャリブレーション用画像を表示装置３００に同時に表示させる。本実施例では、部分範囲毎に、特徴量がその部分範囲に属すと判断された複数のキャリブレーション用画像が同時に表示させられる。即ち、本実施例では、特徴量が属すと判断された部分範囲が互いに異なる複数のキャリブレーション用画像は表示装置３００に同時に表示させられない。
【手続補正６】
【補正対象書類名】明細書
【補正対象項目名】００３６
【補正方法】変更
【補正の内容】
【００３６】
算出されたばらつき度合いが閾値未満の場合には、複数の第１部分範囲を用いた場合の
取得処理で取得されたパッチ測定値を用いてキャリブレーションが実行される。
算出されたばらつき度合いが閾値以上の場合には、複数の部分範囲として、特徴量の取り得る範囲を構成し、且つ、複数の第１部分範囲よりも数が多い複数の第２部分範囲を用いて、判断処理、表示処理、及び、取得処理が再度実行される。そして、複数の第２部分範囲を用いた場合の取得処理で取得されたパッチ測定値を用いてキャリブレーションが実行される。
【手続補正７】
【補正対象書類名】明細書
【補正対象項目名】００３８
【補正方法】変更
【補正の内容】
【００３８】
なお、複数の第１部分範囲を用いた場合の表示処理では、複数の第１部分範囲の間で第１階調値の画像の表示位置が互いに等しくなるように、第１階調値の画像が表示装置に表示させられることが好ましい。それにより、上記ばらつき度合いとして、反射光による誤差をより正確に表す値を得ることができる。